(57)【要約】【課題】広告機能かつ殺菌機能、芳香機能を保有させ、また、タクシー内での意外性のある個所で広告機能を果たし、乗車客に快適なタクシー乗車ができるように構成した天井に機能シートを貼付した車両を提供する。【解決手段】殺菌機能を有する車両用広告媒体としての機能シートを天井面に貼着した車両であって、機能シートは紙・布状のシート部材の表面に、宣伝広告の機能を具備する文字や図形を表示し、裏面には粘着剤を塗布し、シート部材の表面に揮発性の殺菌用薬剤を施し、殺菌用薬剤としては水酸化カルシウムを主剤とし、海藻糊、水性塗料樹脂を混合して構成した機能シートを車室内の天井面に貼付する。【選択図】図１
2020134886.tif 000002
【特許請求の範囲】
【請求項１】
殺菌機能有する車両用広告媒体としての機能シートを天井面に貼着した車両であって、機能シートは紙・布状のシート部材の表面に、宣伝広告の機能を具備する文字や図形を表示し、裏面には粘着剤を塗布し、シート部材の表面に揮発性の殺菌用薬剤を施し、殺菌用薬剤としては水酸化カルシウムを主剤とし、海藻糊、水性塗料樹脂を混合して構成したことを特徴とする天井に殺菌等の機能シートを貼付した車両。
【請求項２】
機能シートを貼着する車両はタクシーとすると共に、貼着位置は少なくともタクシーの後部座席の天井面としたことを特徴とする請求項１に記載の天井に殺菌等の機能シートを貼付した車両。
【発明の詳細な説明】
【技術分野】
【０００１】
本発明は、天井に殺菌等の機能シートを貼付した車両に関する。
【背景技術】
【０００２】
従来、営業用車両においては、広告のために外板や内装に広告表示を設けることが行われている。
【０００３】
このような車両用広告の従来技術としては、例えば、特許文献１〜２に示すようなものがある。すなわち、特許文献１の技術は、透明部材中に一定の間隔で棒状の着色部材を並列して設け、着色部材の透明部材との界面に所望の文字、図柄を設けたものである。これにより、見る角度により、複数種類の文字、図柄を視認させ、広告効果を上げるものである。また、特許文献２の技術は、ポスターの表面に広告を表示する液晶表示部を設け、広告の多様化を図ったものである。
【先行技術文献】
【特許文献】
【０００４】
【特許文献１】実開平２−１２８７８号公報
【特許文献２】実開平４−６０２２号公報
【発明の概要】
【発明が解決しようとする課題】
【０００５】
しかしながら、上述の従来技術では、通常の目線の高さに対応する位置で視認して広告の効果を上げることのみに特化されており、意外性のある広告形態でなく、特に、環境に対しては全く考慮されておらず広告機能の限界を打破することができるものではなかった。
【０００６】
本発明は、上述した問題点に鑑みてなされたものであり、広告機能は当然のことであり、かつ殺菌機能、芳香機能を保有させ更にはタクシー等に乗車した際に天井面に広告シートが貼付されてタクシー内での意外性のある個所で広告機能を果たして、乗車客に快適なタクシー乗車ができるように構成した天井に機能シートを貼付した車両を提供することを目的としている。
【課題を解決するための手段】
【０００７】
本発明の第１の態様は、車両の室内要所に貼着して使用する車両用広告媒体であって、紙・布状のシート部材の表面に、宣伝広告の機能を具備する文字や図形を表示し、裏面には粘着剤を塗布し、シート部材の基体、表面、裏面の少なくとも一つに揮発性の殺菌用薬剤を施し、殺菌用薬剤としては水酸化カルシウムを主剤とし、海藻糊、水性塗料樹脂を混合して構成したことを特徴とするシート状の車両用広告媒体である。シート部材の大きさはＡ３判が程よいが要所に応じて大小し、形状も楕円形等自由度を有してよい。その貼着場所としては、車両、特にタクシーの天井があげられる。また、粘着剤は薬剤の効果が切れたとき剥がしやすく貼着跡が残らないものが望ましい。
【０００８】
また、本発明の第２の態様は、車両の天井に貼着して使用する車両用広告媒体であって、天井に貼布する機能シートは紙・布状のシート部材の表面に、宣伝広告の機能を具備する文字や図形を表示し、裏面には粘着剤を塗布し、シート部材の表面に揮発性の殺菌用薬剤及び消臭剤と芳香剤との何れかを施し、殺菌用薬剤としては水酸化カルシウムを主剤とし、海藻糊、水性塗料樹脂を混合して構成したことを特徴とする。
【発明の効果】
【０００９】
本発明によれば次のような効果を奏する。すなわち、従来、無関心で利用空間として殆ど無視されていた「狭空間」であるタクシー等の車室内において車内天井に本発明の車両用広告媒体のシート部材を貼着することにより、車内での空気の流通により狭空間で殺菌等の機能を果たすと共に広告効果を上げ、効果的に抗菌機能を発揮して車室の居住性を向上させることができるという効果を奏する。
【００１０】
そして、本発明の第１の態様では、車両用広告媒体のシート部材は車両たる自動車の車室等の天井に裏面塗布の粘着剤を介して貼着して使用されている。このシート部材は車両に着座した際に天井面のうち目線の範囲に入る箇所に主体的に貼付されるため乗車する人に良く見えるので、表示された文字や図形により宣伝広告の作用をする。
すなわち、車両用広告媒体のシート部材は車両たる自動車の車室等の天井に裏面に塗布された粘着剤により貼着したシート部材の表面に表示された文字や図形は良く見えて目につきやすく良好な宣伝広告の効果を得ることができる。
しかも、シート部材の表面に施され、水酸化カルシウムを主剤とし、海藻糊、水性塗料樹脂を混合して構成した殺菌用薬剤が車室内に揮発し、車室内が除菌されて細菌を減少させ、乗車者の健康維持に寄与することができ、更には紙・布状であるシート部材は殺菌用薬剤が含侵して保持しやすく長く殺菌作用を維持することができるという効果を奏する。
【００１１】
本発明の第２の態様では、シート部材の基体、表面、裏面の少なくとも一つに施された揮発性の殺菌用薬剤が除菌作用をするとともに、消臭剤であれば車室内の匂いを吸収し、芳香剤であれば快い香りを車室内に発散し、乗車者の居心地をよくする。
特に、車内での空気の流れによってシート部材からの殺菌薬剤成分が車内を循環して、乗車者の頭部や口腔部に近い天井面から発散されて乗車者の健康維持にも役立つ。
【図面の簡単な説明】
【００１２】
【図１】本発明の実施の形態に係る車両天井面に機能シートを貼付した状態を示す図である。
【図２】本発明の実施の形態に係るシート部材の構成を示す図である。
【発明を実施するための形態】
【００１３】
次に、図面を参照して、本発明を実施するための形態（以下、実施の形態と称する）を説明する。以下の図面において、同一または類似の部分には同一または類似の符号を付している。ただし、図面は、模式的なものであり、各部の寸法の比率等は現実のものとは必ずしも一致しない。また、図面相互間においても互いの寸法の関係や比率が異なる部分が含まれることは勿論である。
【００１４】
図１はタクシーＴの車内天井面に機能シートを貼付した状態の説明図である。
機能シート１０は大きさを略Ａ４タイプにしており、この大きさ規格は使用する個所に対応して適宜選択することができる。
【００１５】
殺菌・除菌・抗菌等の機能を有する機能シート１０は、基本的にはＣａ（ＯＨ）２消石灰を漆喰塗料として使用すると共に、これにスサ、海藻糊、水性塗料樹脂を混合して構成している。
【００１６】
具体的には、Ｃａ（ＯＨ）２消石灰は０.３ｋｇ／ｍ２の量を使用している。
また、図２に示すように、機能シート１０の裏面に塗布する粘着剤１１としてはアクリルゴムを使用する。
図中、１１´は粘着剤１１に剥着自在に貼着した剥離紙である。
かかる機能シート１０は、大腸菌、黄色ブドウ球菌、緑膿菌、ＭＲＳＡ等の抗菌性を有し、また、ノロウイルス、インフルエンザウイルスを不活性化する抗ウイルス機能を有し、ペット臭やたばこ臭や生ごみ臭等の生活臭やトイレ臭を除去する消臭機能を有する。
【００１７】
<消臭性能試験>
かかる効果を検証するために所定の試料として本発明の機能シート１０を用いて、アンモニア、酢酸、メチルメルカブタン、硫化水素、インドールに対する消臭性能を試験した。その試験方法は、繊維評価技術協議会法の消臭性試験、及びＳＥＫマーク繊維製品認証基準用に基づき、２０℃、湿度６５％環境下で２４時間以上調湿された１００ｃｍ２（インドールのみ５０ｃｍ２）の試料片を使用し、該試料片を５Ｌのサンプリングバッグ内に封入し、３０分後、２時間後、２４時間後の揮発するガス濃度を検知管法又はガスクロマトグラフ法により測定した。それぞれの試料片のガス初期濃度はアンモニア１００ｐｐｍ、酢酸３０ｐｐｍ、メチルメルカブタン８ｐｐｍ、硫化水素４ｐｐｍ、インドール３３ｐｐｍであり、所定時間経過後の濃度は表１〜表５に示すとおりである。
【００１８】
【表１】
2020134886.tif 000003
【００１９】
【表２】
2020134886.tif 000004
【００２０】
【表３】
2020134886.tif 000005
【００２１】
【表４】
2020134886.tif 000006
【００２２】
【表５】
2020134886.tif 000007
【００２３】
上記条件下で測定した結果、表１〜５に示すように、測定した５成分について２４時間後には初期測定値と比較して約９０％の減少が確認された。
【００２４】
<抗菌性能試験>
また、抗菌加工製品抗菌性試験方法、ＪＩＳＺ２８０１−２０００に従い、シャーレに菌を接種し、無加工状態と抗菌加工した状態で周囲温度３５℃、相対湿度９０％以上の条件下で２４時間培養し、菌液接種直後及び２４時間培養後の試験片３個の生菌数を測定することで機能シート１０の抗菌性能についても確認した。本試験では、大腸菌、黄色ぶどう球菌、緑膿菌、ＭＲＳＡの４種類について測定した。その測定結果を表６に示す。
【００２５】
【表６】
2020134886.tif 000008
【００２６】
上記条件下で測定した結果、表６に示すように、無加工のシャーレ内においては測定した全ての菌が２４時間後には増加したのに対して、本件の機能シート１０の試料片を同梱したシャーレ内ではほぼ全ての菌が死滅しており検出されなかった。
【００２７】
また、空間内の浮遊ウイルスの除去性能評価試験を参考にトイレを模した畳約６畳分の約２５ｍ２（縦４０００ｍｍ×横２７７６ｍｍ×高２２６３ｍｍ）の室内に大腸菌を散布し、この大腸菌を散布しただけの空間と、機能シート１０を貼り合わせてハンガーラックに引掛けたものを４箇所室内に吊下げ、さらに吊下げた機能シート１０が揺動する程度にサーキュレーターを使用して空気を対流させた空間と、２時間経過後のそれぞれの室内における生菌数を確認した。その結果を表７に示す。
【００２８】
【表７】
2020134886.tif 000009
【００２９】
上記条件下で測定した結果、表７に示すように、検体未設置の車内ではウイルスが約５０％しか減少しなかったのに対して、本件発明の機能シート１０を設置した車内では約７５％減少した。
【００３０】
＜抗ウイルス性能試験＞
また、抗ウイルスの検証実験として、本件の機能シート１０の試料片を内包したシャーレと、何も内包していない空のシャーレを準備し、それぞれのシャーレ内にウイルス液を注入し、６０分放置後のそれぞれのシャーレ内におけるウイルスの感染価について実験した。この抗ウイルスの検証実験で使用されるウイルス液はエンベロープウイルスとノンエンベロープウイルスの２種類とし、さらに、エンベロープウイルスはインフルエンザウイルス、水泡性口内炎ウイルス、ウシ丘疹性口炎ウイルスの３種類について確認し、ノンエンベロープウイルスはイヌパルボウイルスについて確認した。その結果はインフルエンザウイルスや水疱性口腔内炎ウイルスや牛丘疹性口炎ウイルスや犬パルボウイルスにおいて接触３０分後、接触６０分後でもウイルスの減少量はいずれも９９％以上となり良好な効果を得た。
【００３１】
シャーレ内に本件の機能シート１０の試料片とウイルス液を同梱したシャーレではウイルス液のみをシャーレ内に内包した条件と比較して約９９％のウイルスの減少が確認された。
【００３２】
かかる機能シート１０のシート本体１２に塗布した薬剤１３の機能は次のようなメカニズムによって生成される。
すなわち、薬剤１３の塗膜表面や内部には多数の細孔があり、その分表面積が広くウイルス液はかかる広範囲の面積の薬剤１３に接触し、ウイルス液が薬剤１３に付着するとウイルスの周辺の水分は薬剤１３のＣａ（ＯＨ）２消石灰によって強アルカリ性となりウイルス液の強アルカリ性化によってウイルスの構造が破壊され感染価が減少する。
すなわち、ウイルスの周囲環境が強アルカリ性になると脂質やたんぱく質の変性を引き起こしウイルスの構造が破壊される。
【００３３】
ウイルスは一般に咳、くしゃみによる飛沫中吐しゃ物など水分と共に存在する。
薬剤１３のこのような機能により抗菌、抗ウイルス効果が発揮される。
【００３４】
一実施例としてのかかる殺菌等機能を天井に有する車両、特にタクシーＴについて機能シート１０を用いた実施例を図１及び図２を参照して説明する。本実施例では車両を閉塞して機能シート１０による殺菌等を行う。すなわち、車両のドアを閉めた状態において車内の空気の流通、特に車内のエアコンからの風の流通により機能シート１０は流通風に対して対面状態で接することになり車内で飛散するウイルス等の菌を機能シート１０で吸着し殺菌する。
【００３５】
すなわち、通常タクシーＴに乗車すると、多種の人々が利用する前提であるため、車内には各種ウイルスや殺菌が充満していると考えなければならない。車内には空中にウイルス、殺菌等が巻き散らかされ、しかも空中にまかれたウイルスの潜伏期間が９０分以上もあるため次に乗車する乗者への二次感染を引き起こしてしまう恐れがある。
【００３６】
このような二次感染を防止するためには車内に各種の感染防止手段が考えられる。しかし、いずれも車内のエアコン吹き出し口ａに殺菌用の精油蒸散機構を装着する手段が殆どであり、高価につくと共にエアコン吹き出し口はダッシュボード近傍にあり、タクシーＴの様に後部座席に客が乗車着座する形態が多いため、精油蒸散の機能効果が及ばない、或いは有効性が減殺されている。
【００３７】
本発明はかかる現況を改善するための技術であり、まず（１）性状をシート状の機能シートにしたこと、（２）機能シートは接触空気の流れによって自然蒸散するような機能性の薬剤を塗布していること、（３）貼付する位置はタクシーの後部座席から前部座席の鏡位置、或いはやや後部座席に片寄った位置、或いは後部座席の位置などの各天井面に限定すること、（４）数か月毎に貼り替えることにより機能シートの有効性を維持すること、（５）天井面に貼付することにより機能シート表面に広告機能や情報伝達機能を果たし、広告収入はタクシー会社に増収益をもたらし、機能シートの普及に貢献すること、特に乗車者は天井面の広告に興味を抱いて注視するために広告情報伝達効果が高いと共に、乗車者は頭を後方に傾動して見上げることにより通常活動しない首筋の筋肉を鍛錬することができ、健康維持に貢献することができる。
【００３８】
かかる各種技術の総合的な相乗機能を発揮するメカニズムについて詳説する。
すなわち、タクシーＴの天井面に機能シート１０を貼着することにより、乗車客が搭乗して後部座席に着座すると、頭部から約２０ｃｍ〜３０ｃｍに天井面が位置することになる。
この頭部上方の天井面には機能シート１０が配設されており、車内における空気流通、例えばエアコン吹き出し口からの空気循環流通や車内の搭乗者の動きにともなう空気の動きや窓の開放による外気流入かく乱等の空気の流動により車内には機能シート１０から薬剤が拡散して車中空気に漂う浮遊ウイルスの除去殺菌機能を果たす。
【００３９】
特に、エアコンからの空気の吹き出しと共に、後部座席の下方には空気循環用の吸気孔ｂが設けられており、エアコン吹き出し口ａからの吹き出し空気Ａは後部座席の天井面方向に流通して、座席下部の吸気孔ｂから吸引されて車両のボディと内層部との間に配設した外気流通路を経て車両外に排気される。
【００４０】
すなわち、機能シート１０により殺菌、消臭された空気は後部座席下部に至って車両外気に排出されることになり、タクシーＴの後部座席に着座した客は殺菌、滅菌された空間を呼吸することができ、タクシーＴの使用客に多大な健康維持の利得を与えることができる。
しかも、殺菌機能だけではなく消臭機能も果たすことができ、これらの機能シート１０の殺菌、消臭機能によりタクシーＴ内の環境を改善して乗車客への多大なサービスを提供でき、同時にシート形状の特性を利用した広告宣伝機能を発揮することができることになり、かかる機能対象空間としてタクシーＴの狭空間を選択したこと、及び対象空間への機能発現源として従来注視されたことのなかったタクシーＴの天井面に限定したこと、更には機能発現源を機能シート１０としてその特性により情報発信の印刷を可能として容易に宣伝広告機能を果たすことができるようにしたのが本件発明である。
【符号の説明】
【００４１】
１０  機能シート
１１  粘着剤
１２  シート本体
１３  薬剤
Ａ  吹き出し空気
Ｔ  タクシー
【図１】
2020134886.tif 000010
【図２】
2020134886.tif 000011